(57)【要約】【課題】  ＲＳＳ情報の取得がリモコンボタンのワンタッチ操作で得られるようにしたテレビ受信機を提供すること。【解決手段】  ネットワークインターフェース１５を備え、リモコン１４により遠隔操作されるようにしたテレビジョン受信機において、リモコン１４にＲＳＳ表示ボタン１６を設け、このＲＳＳ表示ボタン１６の押下により、インターネットを介して配信されているＲＳＳ情報をテレビジョン放送視聴画像に重畳して画面に表示する処理がＣＰＵ９により実行されるように構成したもの。【選択図】図１
2008263512.tif 000002
【特許請求の範囲】
【請求項１】
ネットワークインターフェースを備えた遠隔操作方式のテレビジョン受信機において、
遠隔操作用のリモコンにはＲＳＳ表示ボタンを設け、
テレビジョン受信機本体には、前記インターネットを介して配信されているＲＳＳ情報をテレビジョン放送視聴画像に重畳して画面に表示するＲＳＳ情報表示手段を設け、
該ＲＳＳ情報表示手段は、前記ＲＳＳ表示ボタンの押下がなされたとき、ＲＳＳ情報の表示処理を開始するように構成されていることを特徴とするテレビジョン受信機。
【請求項２】
請求項１に記載のテレビジョン受信機において、
前記テレビジョン受信機本体がＲＳＳ情報表示終了手段を備え、
該ＲＳＳ情報表示終了手段は、前記ＲＳＳ表示ボタンの押下がなされたとき、既にＲＳＳ情報が画面に表示されていた場合、当該ＲＳＳ情報の表示を終了させることを特徴とするテレビジョン受信機。
【請求項３】
請求項１又は請求項２に記載のテレビジョン受信機において、
前記リモコンがＲＳＳ詳細表示ボタンを備え、
前記テレビジョン受信機本体はｗｅｂブラウザとＲＳＳ詳細情報表示手段を備え、
前記ＲＳＳ詳細情報表示手段は、ＲＳＳ情報を画面に表示中、前記ＲＳＳ情報詳細表示ボタンが押下されたとき、前記ｗｅｂブラウザを用いてＲＳＳ情報の発信元にアクセスし、ＲＳＳ情報の詳細な内容の閲覧が可能に構成されていることを特徴とするテレビジョン受信機。
【発明の詳細な説明】
【技術分野】
【０００１】
本発明は、ＲＳＳによるニュース配信が表示できるようにしたテレビジョン受信機に係り、特にインターネット接続機能を持ち定期的にＲＳＳ情報の受信を行なって画面上に表示し、利用者にそれを選択させて内蔵のｗｅｂブラウザで表示することにより効率よく最新情報が受信できるようにしたテレビジョン受信機に関する。
【背景技術】
【０００２】
近年、放送と通信の融合は目覚ましく、これに伴って、インターネットなどのネットワークに対する接続機能を持ち、ｗｅｂブラウザを内蔵することにより、インターネット上のコンテンツを見ることができるようにしたテレビ受信機(テレビジョン受信機のこと)が市場に提供されている。
【０００３】
一方、近年は、ｗｅｂサイトの更新を効率よく配信するＲＳＳと呼ばれる技術も一般化し、これに応じて、ＰＣ(パソコン)では、ＲＳＳによって取得した情報を次々とデスクトップ画面に表示し、必要に応じてｗｅｂブラウザで表示するソフトウェアが広く用いられている。
【０００４】
そこで、テレビ受信機でも、このＲＳＳによる情報を受信し表示することが望まれているが、ここでテレビ受信機の場合、リモコン操作が一般的であり、このため多くのボタンを持ったリモコン(リモートコントローラの略称)が用いられているので、この場合、ＲＳＳによる情報の受信や表示についても、リモコンにより遠隔操作することになる。
【０００５】
ところが、テレビ受信機の場合、内蔵のｗｅｂブラウザをリモコンで操作することは、ＰＣで操作する場合に比較し、かなり困難なのが通例であり、このため、従来技術では、かなりの熟練と知識がユーザに要求されていた。
【発明の開示】
【発明が解決しようとする課題】
【０００６】
上記したように、従来技術では、ユーザがテレビ受信機に内蔵のｗｅｂブラウザを用いて新しいＵＲＬを閲覧するためには、自身でＵＲＬを入力するか、これが面倒な場合は、ブックマークに登録して管理し、後から参照するなどの操作が必要となるが、しかし、これらの操作は、文字入力などを含む複雑な操作を必要とするので、リモコンからの操作は困難であり、テレビ画面に集中しているときには更に困難である。
【０００７】
しかしながら、新しい情報を得るには、最低限、ニュースサイトのトップページなどにアクセスする必要があり、このためには、ユーザの能動的な動作によってリンクをたどっていく必要があり、このため、テレビを視聴しながらでも最新の情報が簡便にチェックでき、得られた情報に対して効率よく簡単にアクセスできる手段が従来から求められていた。
【０００８】
本発明は、上述の事情に鑑みてなされたもので、その目的は、ＲＳＳ情報の取得がリモコンボタンのワンタッチ操作で得られるようにしたテレビ受信機を提供することにある。
【発明の効果】
【０００９】
本発明によれば、ユーザがテレビを視聴しながらＲＳＳで配信されている情報に効率よくアクセスすることができる。これにより、テレビ受信機内蔵のｗｅｂブラウザを簡単に活用することが可能である。
【課題を解決するための手段】
【００１０】
上記目的は、ネットワークインターフェースを備えた遠隔操作方式のテレビジョン受信機において、遠隔操作用のリモコンにはＲＳＳ表示ボタンを設け、テレビジョン受信機本体には、前記インターネットを介して配信されているＲＳＳ情報をテレビジョン放送視聴画像に重畳して画面に表示するＲＳＳ情報表示手段を設け、該ＲＳＳ情報表示手段は、前記ＲＳＳ表示ボタンの押下がなされたとき、ＲＳＳ情報の表示処理を開始するようにして達成される。
【００１１】
このとき、前記テレビジョン受信機本体がＲＳＳ情報表示終了手段を備え、該ＲＳＳ情報表示終了手段は、前記ＲＳＳ表示ボタンの押下がなされたとき、既にＲＳＳ情報が画面に表示されていた場合、当該ＲＳＳ情報の表示を終了させるようにしてもよい。
【００１２】
このとき、前記リモコンがＲＳＳ詳細表示ボタンを備え、前記テレビジョン受信機本体はｗｅｂブラウザとＲＳＳ詳細情報表示手段を備え、前記ＲＳＳ詳細情報表示手段は、ＲＳＳ情報を画面に表示中、前記ＲＳＳ情報詳細表示ボタンが押下されたとき、前記ｗｅｂブラウザを用いてＲＳＳ情報の発信元にアクセスし、ＲＳＳ情報の詳細な内容の閲覧が可能になるようにしてもよい。
【００１３】
テレビ受信機は一定時間毎に予め登録されたサーバーに接続してＲＳＳを受信している。そこで、上記手段によれば、そのＲＳＳをパースして得られた情報がテレビ画面に重畳して表示されることになる。表示領域が狭いなどの理由で表示しきれない場合は、内容をスクロールして順次表示されるようにしてもよい。これにより、利用者(ユーザ)は、テレビを視聴しながら当該テレビ画面上に次々と表示されていく情報を、あたかもニューステロップのような感覚で読むことができる。
【００１４】
更に、このとき、表示中のＲＳＳ情報にアクセスするためのボタンを押下すると、テレビ受信機内蔵のｗｅｂブラウザを起動して元のＵＲＬにアクセスすることにより、詳細な情報を得ることができ、これによれば、利用者は、ＵＲＬを一文字ずつタイプすることなく、且つ、ｗｅｂブラウザを起動してリンクを辿ってゆく必要もなく、テレビを視聴していた状態からワンタッチで情報源のＵＲＬに直接アクセスして所望の情報を得ることができる。
【発明を実施するための最良の形態】
【００１５】
以下、本発明によるテレビ受信機について、図示の実施形態により詳細に説明する。ここで、図１は、本発明を地上デジタル放送とＢＳ／ＣＳ放送が受信可能なテレビジョン受信機に適用した場合の実施形態である。
【００１６】
図１において、まず地上波デジタル放送電波は、地上波アンテナ１と地上デジタルチューナにより受信選局され、ＢＳ／ＣＳ放送電波は、衛星アンテナ３とＢＳ／ＣＳチューナ４により受信選局され、受信された信号は、それぞれデマルチプレクスサ(ＤＥＭＵＸ)７に供給される。
【００１７】
そこで、デマルチプレクスサ７は、信号に多重化されたデータを各チャンネル毎に並び替え、ＣＰＵ９から選局指定されたチャンネルだけを取り出し、映像部分のパケットからなるビデオストリームをＭＰＥＧデコーダ８に供給する。
【００１８】
ここで、いま、指定手段であるリモコン１４に設けられているボタンやキーの何れかが押下されたとする。
【００１９】
そうすると、リモコン１４から光信号が放射され、それが受光部１３で受信され、これによりＣＰＵ９は、このとき押下されたボタン又はキーによる信号とテレビ受信機の動作状況に対応した処理を実行し、必要に応じてＯＳＤ画像を生成してＶＲＡＭ１０に書き込む。そして、表示手段であるＯＳＤ表示装置１１はＭＰＥＧデコーダ８から供給される画像にＶＲＡＭ１０から読出したＯＳＤ画像を重畳し、それをモニタ１２に表示する。
【００２０】
このとき、ＤＲＡＭ６は、テレビ受信機が動作中、これらの動作を行なうためのプログラムとデータを保持する働きをし、フラッシュメモリ５は、機器の電源がＯＦＦされた後で起動させたときに必要な以前のデータを保持するための外部記憶部として機能する。
【００２１】
また、この実施形態では、更にネットワークインターフェース１５を備え、これを介してインターネットにアクセスできるようにしてあり、これと共に、このネットワークインターフェース１５の機能を用いた内蔵のアプリケーションプログラムとして、ｗｅｂブラウザが設けられている。
【００２２】
そして、この実施形態では、モニタ１２上に表示されるＧＵＩ図形に対してリモコン１４による指示を与え、これをＣＰＵにより処理した結果が更にモニタ１２上に表示されるようにしてあり、これによりモニタに表示される画像は、利用者の操作により変化していくようになり、この結果、利用者が受信機に対して対話的に指示を与えることができるようになっている。
【００２３】
このときリモコン１４は、全体としては従来のテレビ受信機に用いられている一般的なリモコンとほとんど同じで、ボタンやキーも同じようなものを備えているが、この実施形態において用いられているリモコン１４では、図２に詳しく示されているように、更にＲＳＳ表示ボタン１６とＲＳＳ詳細表示ボタン１７が設けられている。なお、ここでは説明を簡単にするため、直接関係のない他のボタンやキーの表示は省略してある。
【００２４】
そして、まず、ＲＳＳ表示ボタン１６は、テレビ視聴中に視聴者(ユーザ)が押下することにより、予め設定してあるＲＳＳ配信サイトにアクセスし、取得してあるＲＳＳ情報が表示されるようにする働きをする。従って、視聴者は、ＲＳＳ表示ボタン１６にワンタッチするだけでＲＳＳ情報を見ることができ、しかも、このときのＲＳＳ情報の表示は一定時間毎に更新されているため、視聴者は次々と新しい情報を見ることができる。
【００２５】
しかも、このＲＳＳ情報は、モニタ１２で視聴中のテレビ画面に、映画の字幕(スーパーインポーズ)のように重畳して表示されるため、テレビの視聴をあまり妨げないで情報内容を確認することができる。その上、このとき表示されるＲＳＳ情報は、テレビ受信機が一定時間毎にＲＳＳ配信サーバーにアクセスして常時更新し保持しているものを用いるため、視聴者はワンタッチで常に最新に近い情報を確認することができる。
【００２６】
そして、このＲＳＳ情報の表示は、リモコン１４に予め設定してある所定のボタン、例えば“消去ボタン”、“終了ボタン”、“戻るボタン”が押下されたとき終了され、もとのテレビ画面に戻るようにすることもできるが、この実施形態では、ＲＳＳ情報が表示されているときＲＳＳ表示ボタン１６を押下することにより終了され、画面からＲＳＳ情報が消されるようにしてある。
【００２７】
次に、ＲＳＳ詳細表示ボタン１７は、ＲＳＳ情報が画面に表示されているとき押下されることにより、当該ＲＳＳ情報の発信元のＵＲＬを、テレビ受信機に内蔵のｗｅｂブラウザで起動し、発信元のＵＲＬをＲＳＳ詳細情報とし、ＲＳＳ情報に代えて画面に表示させる働きをする。従って、視聴者はＲＳＳ詳細表示ボタン１７のワンタッチで発信元のＵＲＬを確認することができる。
【００２８】
ここで、この実施形態では、以上の処理は、ＣＰＵ９のプログラムにより実現される。そこで、次に、このＣＰＵ９による処理について、図３のフローチャートにより説明すると、まず、この図３のフローチャートによる処理は、リモコン受信タスクの動作の一部であって、リモコン１４のＲＳＳ表示ボタン１６とＲＳＳ詳細表示ボタン１７の何れかが押下され、このことが受光部１３で受信され、ＣＰＵ９に入力されたときに動作する部分である。
【００２９】
この部分に該当する処理では、まず、このとき押下されたボタンがＲＳＳ表示ボタン１６か否かを判定し(Ｓ１)、判定結果がＮＯのときは、次にＲＳＳ詳細表示ボタン１７か否かを判定する(Ｓ２)。そして、ここのステップ(Ｓ２)でも判定結果がＮＯのときは、処理を終了する。
【００３０】
しかして、タスクが起動された後、Ｓ１での判定結果がＹＥＳ、つまり、このとき押下されたボタンがＲＳＳ表示ボタン１６であると判定されとする。そうすると、このときは、まず、いま現在、ＲＳＳ情報は表示中か否かを判定する(Ｓ１１)。そして、このステップＳ１１での判定結果がＮＯ、つまり、いま現在、ＲＳＳ情報は表示されていないと判断された場合は、次に、このときテレビ受信機はＲＳＳ情報の表示が可能な状態にあるか否かを判定する(Ｓ１２)。
【００３１】
ここで、テレビ受信機がＲＳＳ情報の表示が可能な状態にあるか否かを判定しているのは、例えばテレビ受信機が初期設定中などの状況にあってＲＳＳ情報が表示できない場合を想定したもので、この場合、つまりＳ１２での判定結果がＮＯのときは、ＲＳＳ情報表示エラーメッセージ表示処理Ｓ１３を実行し、例えばビープ音などによるエラー報知がなされるようにする。
【００３２】
他方、ＲＳＳ情報の表示が可能な場合、つまりＳ１２での判定結果がＹＥＳのときは、この後、ＲＳＳ表示開始処理Ｓ１４を実行し、ここでＲＳＳ表示担当のアプリケーションに表示開始を通知する。
【００３３】
ここで、このＲＳＳ表示担当アプリケーションとは、テレビ受信機のソフトウェアのタスクとして起動され、リモコン受信タスクからの通知によって表示／非表示の切り換えを行い、表示の場合はＲＳＳ情報の中から情報を選択して視聴画面に重畳して表示する処理を行なうアプリケーションのことである。
【００３４】
そして、このＲＳＳ表示担当アプリケーションが起動されると、その結果としてＲＳＳ情報がモニタ１２に表示されることになり、この結果、利用者は、ワンタッチで直ちにＲＳＳ情報の閲覧ができるようになる。
【００３５】
一方、このとき既にＲＳＳ情報表示中であり、この状態のときＲＳＳ表示ボタン１６が押下された場合、つまりＳ１１の判定処理の結果がＹＥＳのときは、ＲＳＳ情報表示終了処理Ｓ１５を実行し、ＲＳＳ表示担当のアプリケーションに対して表示終了を通知する。従って、ここでＲＳＳ情報はモニタ１２上から消えてしまうことになる。
【００３６】
そこで、以上のＣＰＵ９により実行されるＲＳＳ情報表示のための一連の処理を、ここではＲＳＳ情報表示手段と定義し、同じく、以上のＣＰＵ９により実行されるＲＳＳ情報消去のための一連の処理を、ここではＲＳＳ情報表示終了手段と定義する。
【００３７】
次に、タスクが起動された後、Ｓ１での判定結果はＮＯでＳ２での判定結果がＹＥＳのとき、つまり、このとき押下されたボタンがＲＳＳ詳細表示ボタン１７であると判定されとする。そうすると、まず、このときも、いま現在、ＲＳＳ情報は表示中か否かを判定する(Ｓ２１)。
【００３８】
そして、このステップＳ２１での判定結果がＮＯ、つまり、いま現在、ＲＳＳ情報は表示されていないと判断された場合は、ＲＳＳ詳細表示エラーメッセージ表示処理Ｓ２２を実行し、例えばビープ音などによるエラー報知がなされるようにする。
【００３９】
他方、ステップＳ２１での判定結果がＹＥＳ、つまり、いま現在、ＲＳＳ情報が表示中であると判断された場合は、次に、今度はＲＳＳ詳細情報について、それがいま現在、表示中か否かを判定する(Ｓ２３)。ここで、このＲＳＳ詳細情報とは、この実施形態の場合、前述のように、このときのＲＳＳ情報の発信元のＵＲＬのことである。
【００４０】
そして、まず、このステップＳ２３での判定結果がＮＯ、つまり、いま現在、ＲＳＳ詳細情報は表示されていないと判断された場合は、ここでＲＳＳ詳細表示開始処理Ｓ２４を実行し、内蔵のアプリケーションであるｗｅｂブラウザを起動し、発信元のＵＲＬがＲＳＳ詳細情報として表示されるようにする。
【００４１】
従って、この時点からＲＳＳ詳細情報がモニタ１２に表示されるようになり、この結果、利用者は、ワンタッチで直ちにＲＳＳ詳細情報の閲覧ができるようになる。
【００４２】
そこで、以上のＣＰＵ９により実行されるＲＳＳ詳細情報表示のための一連の処理を、ここではＲＳＳ詳細情報表示手段と定義する。
【００４３】
一方、このとき既にＲＳＳ詳細情報表示中であり、この状態のときＲＳＳ詳細表示ボタン１７が押下された場合、つまりＳ２３の判定結果がＹＥＳのときは、ＲＳＳ詳細情報表示終了処理Ｓ２５を実行し、内蔵のアプリケーションであるｗｅｂブラウザに対して表示終了を通知する。従って、ここでＲＳＳ詳細情報はモニタ１２上から消えてしまうことになる。
【００４４】
従って、この実施形態によれば、利用者は、ＲＳＳ表示ボタン１６にワンタッチするだけでＲＳＳ情報を見ることができ、ここで、再びＲＳＳ表示ボタン１６にワンタッチするだけで、画面からＲＳＳ情報を消すことができる。
【００４５】
また、これと共に、この実施形態によれば、利用者は、ＲＳＳ詳細表示ボタン１７にワンタッチするだけでＲＳＳ詳細情報を見ることができ、ここで、再びＲＳＳ詳細表示ボタン１７にワンタッチするだけで、画面からＲＳＳ詳細情報を消すことができる。
【図面の簡単な説明】
【００４６】
【図１】本発明によるテレビジョン受信機の一実施形態を示すブロック構成図である。
【図２】本発明によるテレビジョン受信機の一実施形態におけるリモコンの一例を示す正面図である。
【図３】本発明によるテレビジョン受信機の一実施形態の動作を説明するためのフローチャートである。
【符号の説明】
【００４７】
１：地上波アンテナ
２：地上デジタルチューナ
３：衛星アンテナ
４：ＢＳ／ＣＳチューナ
５：フラッシュメモリ
６：ＤＲＡＭ(ダイナミックＲＡＭ)
７：デマルチプレクスサ(ＤＥＭＵＸ)
８：ＭＰＥＧデコーダ
９：ＣＰＵ
１０：ＶＲＡＭ(ビデオＲＡＭ)
１１：ＯＳＤ表示装置
１２：モニタ
１３：受光部(リモコン用)
１４：リモコン
１５：ネットワークインターフェース
１６：ＲＳＳ表示ボタン
１７：ＲＳＳ詳細表示ボタン
【図１】
2008263512.tif 000003
【図２】
2008263512.tif 000004
【図３】
2008263512.tif 000005